(57)【要約】【課題】使用するハンドピースに規定外のバーが誤って装着されることのないように、バー装着前に、該バーの寸法の適否を判別可能にした。【解決手段】歯科用ハンドピースのヘッド部上蓋に設けられた貫通孔を通して治具７０の突起７２を挿通し、該突起７２にてヘッド部内のチャック機構を開閉し、バー８０を着脱自在に装着し得るようにした。治具７０は、上蓋の上面に対向する平面部７１を有するとともに該底面の内側に突起７２を有し、かつ、該突起７２を囲み他端が開口された円筒部７３から成る。該円筒部７３の平面部７１はフランジ部７１′を有し、該フランジ部７１′より所定の距離を隔ててマークライン７３′が施されている。マークライン７３′までの長さＬは使用可能なバー８０のシャンク長Ａを規制し、前記円筒体の長さＭは、使用可能なバー８０の全長Ｂを規制し、前記貫通孔７１”の径は、使用可能なバー８０の径を規制する。【選択図】図１
2005185437.tif 000002
【特許請求の範囲】
【請求項１】
歯科用ハンドピースのヘッド部上蓋に設けられた貫通孔を通して治具の突起を挿通し、該突起にてヘッド部内に設けられたチャック機構を開閉し、該チャック機構に歯牙治療用のバーを着脱自在に装着し得るようにした前記治具であって、該治具は、一端に前記上蓋の上面に対向する底面を有するとともに該底面の内側に前記突起を有し、かつ、該突起を囲み他端が開口された略円筒体から成り、該略円筒体の前記底面は該略円筒体より径方向外方に延長するフランジ部を有し、該フランジ部より所定の距離を隔てて前記略円筒体の外周に、使用可能なバーのシャンク長を規制するための、マークラインが施されていることを特徴とする歯科治療用ハンドピースの治具。
【請求項２】
前記略円筒体の長さは、使用可能なバーの長さを規制するものであることを特徴とする請求項１に記載の歯科治療用ハンドピースの治具。
【請求項３】
前記貫通孔は、使用可能なバーの刃部の径を規制するものであることを特徴とする請求項１又は２に記載の歯科治療用ハンドピースの治具。
【発明の詳細な説明】
【技術分野】
【０００１】
本発明は、歯科治療用ハンドピース、例えば、マイクロエンジン、エアータービン等のチャック機構にバー（切削具）を装着する時に使用して好適な治具に関するものであって、当該歯科治療用ハンドピースに切削具を装着する際に、該歯科治療用ハンドピースに適合しない寸法の切削具を誤って装着することのないように、該切削具の適合寸法を容易に判別することができるようにした治具に関する。
【背景技術】
【０００２】
図２は、従来の歯科用エアータービンハンドピースのチャック機構を示す断面図で、図中、１０はヘッドケース、２０は回転筒で、この回転筒２０には軸受２１，２２のアウターレースがそれぞれＯリング１１，１２によってヘッドケース１０に固定され、これによって、インナーレースと一体の回転筒２０及びタービン羽根２３がヘッドケース１０に回転可能に支持されている。
【０００３】
回転筒２０とチャック筒３０の小径部３２との間には、第１のスプリング４１が介装され、チャック筒の筒先端部の傾斜Ｍに係合する傾斜面Ｎを持つチャック開閉スリーブ４２が設けられ、このチャック開閉スリーブ４２の上部には押しストッパー４３が設けられている。この押しストッパー４３の下端部と前記回転筒２０の上端部との間には、第２のスプリング４４が設けられており、この押しストッパー４３は、この第２のスプリング４４によって、前記チャック開閉スリーブ４２を前記第１のスプリング４１に押し戻すような力を加えている。
【０００４】
この従来のチャック機構において、切削具（バー）の取り付けは次のように行われる。即ち、ヘッドケース１０の押し蓋１３をスプリング１４の弾撥力に抗して押し下げ、更に、第１のスプリング４１の弾撥力に抗して押しストッパー４３を押し下げると、押しストッパー４３の下端に接合したチャック開閉スリーブ４２が下降する。このチャック開閉スリーブ４２の下降により、チャック開閉スリーブ４２の内周傾斜面とチャック筒３０の細片３２′の外周傾斜面が離れ、これら傾斜面間に隙間ができるため、前記チャック開閉スリーブ４２の細片３２′はその拘束が解かれて拡張し、チャック筒３０内への切削具の受け入れが可能な状態になる。
【０００５】
次に、チャック筒３０内に切削具を挿入した後、押し蓋１３の作用させた力を解除すると、前記第１のスプリング４１の弾撥力によって前記チャック開閉スリーブ４２が上昇し、チャック開閉スリーブ４２の内周傾斜面がチャック筒３０の細片３２′の外周傾斜面を押圧する結果、前記細片３２′は半径方向内方に屈曲し、チャック筒３０内の切削具を保持する。この状態で、タービン羽根２３にエアーを吹き付け、切削を回転筒２０と共に高速回転して歯牙の切削等を行う。なお、図には、回転筒２０をエアーで回転するエアータービンハンドピースの例を示したが、該回転筒２０をモータによって回転するマイクロエンジンハンドピースについても同じである。
【０００６】
上記従来の歯科治療用ハンドピースにおいては、その使用中、つまり、工具、回転筒２０等が高速回転中に、使用者が押し蓋１３を、例えば、患者の口腔内に不用意に押し付けると、その圧力によって押し蓋１３はスプリング１４を押下し、高速回転中の押しストッパー４３の先端４３ａが上蓋の裏側に押しつけられる結果、押しストッパー４３と押し蓋１３の裏側との間に極めて大きな摩擦熱が発生し、その熱により押し蓋１３が急激に加熱されるため、患者が口腔内に火傷を負うことがある。同様に、治療に当たる作業者が前記ハンドピースの動作中に誤ってその押し蓋を指等に押しつけた場合においても、同様に、指等に火傷を負うことがある。
【０００７】
上述のごとき従来のハンドピースのチャック機構の持つ欠点を解消するために、本出願人は先に、ハンドピースの使用中に、チャック機構が開くことのないようにして、患者の口腔内又は操作者の指等を押し付けても火傷のおそれのない、歯科用ハンドピースを提供した（特許文献１参照）。
【０００８】
図３は、本出願人が先に提案した歯科用ハンドピースの一例を説明するためのヘッド部断面構成図で、図中、図２に示したハンドピースと同様の作用をする部分には、図２の場合と同一の参照番号を付し、その詳細な説明は省略する。而して、図３から明らかなように、図３に示したハンドピースにおいては、図２に示したハンドピースにおいて必要としたスプリング１４は不要で、押し蓋１３に代る上蓋５０は、ヘッドケース１０に対して一体的に取り付けられており、図２に示した押し蓋１３のように、ヘッドケース１０に対して移動することはなく、該ヘッドケース１０に対して堅固に固定（螺着）されている。
【０００９】
而して、上蓋５０には、押しストッパー４３の先端４３ａに対向した位置に貫通孔５０ａを有し、この貫通孔５０ａを通して治具６０に設けられた突起を挿入し、該突起により押しストッパー４３を押してチャックを開くようにしている。チャックを開いて、切削具を固着した後、該押しストッパー４３に対する押圧力を取り去ると（治具６０を取り去ると）、図２に関して説明したように、第１のスプリング４１によってチャック開閉スリーブ４２が押し上げられ、チャックが閉められる。
【００１０】
図４（Ａ）、（Ｂ）は、それぞれ図３に示したハンドピースと共に用いて好適な“チャック開”治具６０を示す斜視図で、図４（Ａ）に示した治具６０は、最も簡単な構成の治具の一例を示し、図示のように、上蓋の上面に対向する面を有する平板６１の面に、上蓋５０に開けられた貫通孔５０ａを通過する径を有し、先端が前記ストッパー４３の先端４３ａに当接し、かつ、該ストッパー４３をチャックを開くまで押下することのできる長さを有する突起６２を有する。図４（Ｂ）に示した治具６０は、前記突起６２の周囲を覆うように、更に、円筒状部６３を設け、該円筒状部６３をヘッドケース１０に被せ（円筒状部６３の切り欠き部６３ａは、ヘッドケースの首部を通すための切り欠きである）、該治具６０をより安定してヘッドケース１０に被着させた状態で、チャックを開くことができるようにしたものである。
【特許文献１】特開２００１−１１２７８０号公報
【発明の開示】
【発明が解決しようとする課題】
【００１１】
而して、歯科治療用ハンドピースは、当該歯科治療用ハンドピースに適した大きさのバー（切削具）を使用しないと、バーを確実にチャックすることができず、歯科治療中にバーが脱落したり、偏心回転したりして危険である。
【００１２】
本発明は、上述のごとき実情に鑑みてなされたもので、使用するハンドピースに適合したバーを簡単に選択することができ、規定外のバーが誤って装着されることのないように、バー装着前に、該バーの長さや刃部の径の寸法が該ハンドピースに適合しているか否かを簡単に判別できるように、図４（Ｂ）に示した従来の治具を改良したものである。
【課題を解決するための手段】
【００１３】
本発明は、歯科治療用ハンドピースのヘッド部上蓋に設けられた貫通孔を通して治具の突起を挿通し、該突起にてヘッド部内に設けられたチャック機構を開閉し、該チャック機構に歯牙治療用のバーを着脱自在に装着し得るようにした前記治具であって、該治具は、一端に前記上蓋の上面に対向する底面を有するとともに該底面の内側に前記突起を有し、かつ、該突起を囲み他端が開口された略円筒体から成り、該略円筒体の前記底面は該略円筒体より径方向外方に延長するフランジ部を有し、該フランジ部より所定の距離を隔てて前記略円筒体の外周にマークラインが施されていることを特徴としたもので、前記マークラインは使用可能なバーのシャンク長を規制し、前記円筒体の長さは、使用可能なバーの長さを規制し、前記貫通孔は、使用可能なバーの刃部の径を規制するものであることを特徴としたものである。
【発明の効果】
【００１４】
本発明によると、使用しようとする歯科用ハンドピースに適合したバーを容易に判別することができ、歯科治療中に、バーが脱落したり、偏心回転する恐れがなく、安全に歯科治療を行うことができる。
【発明を実施するための最良の形態】
【００１５】
図１は、本発明による歯科ハンドピース用治具の一実施例を説明するための斜視図で、図中、７０は本発明による治具で、基本的には、図４（Ｂ）に示した治具６０と同じである。而して、本発明においては、突起７２の周囲を覆うように円筒部７３を有し、該円筒部７３をヘッドケース１０に被せ（円筒部７３の切り欠き部７３ａは、ヘッドケースの管部を通すための切り欠きである）、該治具７０を安定してヘッドケースに係合させた状態で、チャックを開くようにしたものであるが、更に、円筒部７３の平面部（座板）７１を径方向に延長して顎部（フランジ部）７１′を設けるとともに、該フランジ部７１′から所定の距離Ｌを隔てた円筒部７３の外周にマークライン７３′を設けたものである。顎部７１′はバー（切削具）８０の基部を載せるものであり、マークライン７３′はバー８０のシャンク長Ａを規定するものである。
【００１６】
すなわち、歯科用ハンドピースにバー（切削具）８０を装着するに当って、そのバーが当該ハンドピースに適合したものであるかどうかを判定するために、図１（Ａ）に示すように、フランジ部７１′にバー８０の基部を載せ、そのシャンク部８０ａの長さＡがマークライン７３′を超えていることを確認する。すなわち、シャンク長Ａ＞マークラインまでの長さＬであることを確認する（シャンク部の長さが短いと十分にチャックすることができない）。
【００１７】
更に、円筒部７３の長さＭは、バー８０の全長Ｂを規定するもので、バー８０の全長Ｂは円筒部の長さＭより短いことを確認する（バー８０が長すぎると、バーが脱落しやすく、またバー先端部の偏心が大きく、危険である）。
【００１８】
更に、本発明においては、図１（Ｂ）に示すように、円筒部７３の底板７１には、バー８０の刃部８０ｂの径Ｄを規定するための貫通孔７１”が設けられており、この孔７１”内にバー８０の刃部８０ｂが挿通されることを確認する（バー８０の刃部８０ｂの径Ｄが規定値より太いと、つまり孔７１”の径ｄより大きいとチャックが十分に行えず、歯科治療中にバーが脱落する等の危険がある）。
【００１９】
以上に説明したように、本発明によると、従来使用されている歯科ハンドピース用治具を改良することによって、使用しようとしている歯科用ハンドピースに適した（又は適さない）寸法のバーを簡単に見分けることができ、歯科治療を安全に行うことができる。
【図面の簡単な説明】
【００２０】
【図１】本発明による歯科ハンドピース用治具の一実施例を説明するための斜視図である。
【図２】従来の歯科用エアータービンハンドピースのチャック機構を示す断面図である。
【図３】本出願人が先に提案した歯科用ハンドピースの一例を説明するためのヘッド部断面構成図である。
【図４】図３に示したハンドピースと共に用いて好適な“チャック開”治具を示す斜視図である。
【符号の説明】
【００２１】
１０…ヘッドケース、１１，１２…Ｏリング、１３…押し蓋、１４…スプリング、２０…回転筒、２１，２２，２４…軸受、２３…タービン羽根、２４ａ…外輪（アウターレース）、２４ｂ…内輪（インナーレース）、３０…チャック筒、３２…小径部、３２′…細片、４１…第１のスプリング、４２…チャック開閉スリーブ、４３…押しストッパー、４３ａ…押しストッパーの先端、４４…第２のスプリング、５０…上蓋、５０ａ…貫通孔、６０…治具、６１…平板、６２…突起、６３…円筒状部、６３ａ…切り欠き部、７０…治具、７１…平面部、７１′…フランジ部、７１”…孔、７２…突起、７３…円筒部、７３ａ…切り欠き部、７３′…マークライン、８０…バー。
【図１】
2005185437.tif 000003
【図２】
2005185437.tif 000004
【図３】
2005185437.tif 000005
【図４】
2005185437.tif 000006